(57)【特許請求の範囲】
【請求項１】
その端縁同士を対向させた状態の複数のパネル材をジョイナーで連結するための治具であって、
当該パネル材の表面に当接する支持部材と、
前記互いに対向したパネル材の端縁同士間の隙間を通過し得る薄板帯状をなし且つ前記支持部材に摺合すると共に前記ジョイナーとの係合部を備える牽引部材と、
前記支持部材と前記牽引部材との間に設けられた逆止手段とを有することを特徴とするパネル材連結治具。
【請求項２】
前記逆止手段は、前記牽引部材に設けられたラックギア状に連続する凹部と、前記支持部材に設けられた弾発片部と、前記弾発片部に設けられた前記凹部に対する係合部とを有することを特徴とする請求項１に記載のパネル材連結治具。
【請求項３】
前記支持部材の当該パネル材の表面に対する当接面は、前記牽引部材の摺動方向に対して直交する面および略４５度の角度で交差する面からなることを特徴とする請求項１若しくは２に記載のパネル材連結治具。
【発明の詳細な説明】
【０００１】
【発明の属する技術分野】
本発明は、パネル材連結治具に関し、例えばユニットバスなどの内装壁面を構成するパネル材を金属製のジョイナーに結合する際に、ジョイナーとパネル材とを仮止めするための治具に関するものである。
【０００２】
【従来の技術】
ボルトやビスなどの締結具を要さずに、しかも内装パネルの外側に無駄なスペースを生じさせることなく、複数の内装パネルを容易に連結することができるように構成された内装パネルの接続構造が、実公平５−４１１２５号公報に開示されている。
【０００３】
この先行技術は、角パイプ状のパネル枠にだるま形の孔を形成し、だるま形孔の大径孔を通過し且つ小径孔に係合する拡径頭部を備えた接続突起をパネル枠連結用のジョイナーに設けたものである。
【０００４】
【発明が解決しようとする課題】
しかるに、この従来技術によると、パネル枠に設けられただるま形孔にジョイナーに設けられた接続突起を係合させた上でジョイナーを叩き込まねばならないので、実際のところ、表側から内装パネルを連結する作業には熟練を要した。
【０００５】
本発明は、このような従来技術の問題点を解消すべく案出されたものであり、その主な目的は、パネル材とジョイナーとの相互結合作業を容易化するための治具を提供することにある。
【０００６】
【課題を解決するための手段】
このような目的を果たすために、本発明の請求項１においては、その端縁同士を対向させた状態の複数のパネル材（２）をジョイナー（３）で連結するための治具（１）として、当該パネル材の表面に当接する支持部材（４）と、前記互いに対向したパネル材の端縁同士間の隙間（Ｇ）を通過し得る薄板帯状をなし且つ前記支持部材に摺合すると共に前記ジョイナーとの係合部（実施の形態中のフック部６）を備える牽引部材（７）と、前記支持部材と前記牽引部材との間に設けられた逆止手段（実施の形態中の牽引部材の凹部８および弾発片部１０の凸部９）とを有することを特徴とするパネル材連結治具を提供することとした。
【０００７】
このようにすれば、先ずパネル材の表面に支持部材を当接させ、次に互いに対向したパネル材の端縁同士間の隙間から差し込んだ牽引部材をジョイナーに係合させ、さらに牽引部材を引っ張れば、パネル材の裏面にジョイナーが仮止めされた状態が、支持部材と牽引部材との間に働く緊張力で保持されることとなる。
【０００８】
また請求項２においては、逆止手段として、牽引部材に設けられたラックギア状に連続する凹部（８）と、支持部材に設けられた弾発片部（１０）と、弾発片部に設けられた凹部に対する凸部（９）とを有するものとした。
【０００９】
これによれば、弾発片部の凸部が牽引部材の凹部に係合して支持部材と牽引部材とによるパネル材とジョイナーとの仮止め状態が保持され、弾発片部を変位させれば凹部と凸部との係合を簡単に解除することができる。
【００１０】
さらに請求項３においては、支持部材のパネル材の表面に対する当接面を、牽引部材の摺動方向に対して直交する面（平行面１２）および略４５度の角度で交差する面（直角面１３）からなるものとした。
【００１１】
これによれば、２つのパネル材を同一平面上で連結する作業と、互いに直角に連結する作業とを、１つの治具をもって実施することができる。
【００１２】
【発明の実施の形態】
以下に添付の図面を参照して本発明について詳細に説明する。
【００１３】
図１並びに図２は、本発明に基づき構成されたパネル材連結治具を示している。この治具１は、例えばユニットバスなどの内装壁面を構成するに当たり、その端縁同士を互いに対向させた状態の２つのパネル材２を、金属製のジョイナー３で連結する際に用いるものであり、各パネル材２の表面に対する当接面（後記する）を備えた支持部材４と、互いに対向する２つのパネル材２の部端縁同士間の隙間Ｇを通過し得る薄板帯状をなし、且つ支持部材４に形成された溝５に摺合すると共に、その先端にジョイナー３に係合するフック部６を備えた牽引部材７とからなっている。
【００１４】
牽引部材７は、合成樹脂材を射出成型してなり、その一側面には、断面形状が鋸歯状をなす凹部８が、適宜な範囲に渡って連続的に形成されている。
【００１５】
支持部材４は、合成樹脂材を射出成型してなり、牽引部材７を摺動自在に受容する溝５と、溝５内に受容された牽引部材７の凹部８に係合すべく断面形状が鋸歯状をなす凸部９がその中間部に形成された弾発片部１０と、溝５を挟んで弾発片部１０の凸部９と対向する位置で牽引部材７を弾発片部１０に押圧するための弾発力を発揮するための突片１１とが一体形成されている。
【００１６】
また支持部材４における各パネル材２の表面に対する当接面は、牽引部材７の摺動方向に対して直交する平行面１２と、牽引部材７の摺動方向に対して略４５度の角度で交差する直角面１３とを備えている。これにより、支持部材４は平面視が概ね台形をなしており、その底辺側に上記弾発片部１０および突片１１が設けられている。
【００１７】
他方、各パネル材２の端縁には、断面形状がΓ字形をなす枠部１４が形成されている。この枠部１４におけるパネル材２の一般面に平行な面には、ジョイナー３と係合する長方形の孔１５が形成されている。
【００１８】
ジョイナー３としては、図３に併せて示すコ字形の断面形状をなす平ジョイナー３と、図４に示すＶ字形を三連続させた断面形状をなすコーナージョイナー３Ａとの二種類が用意されており、それらの枠部１４との対向面に、枠部１４に形成された長方形の孔１５に対応する一対の舌状係合片１６が切り起こし加工で形成されると共に、一対の舌状係合片１６の間に、牽引部材７の遊端に設けられたフック部６を挿通し得るスリット１７が打ち抜き加工で形成されている。
【００１９】
次に本発明による治具の使用要領について説明する。
【００２０】
先ず、複数のパネル材２を同一平面上に連結する場合は、上記断面形状がコ字形をなす平ジョイナー３を用いる。この場合、図３に示したように、２枚のパネル材２の突き合わせ部をまたぐように支持部材４の平行面１２を当接させ、２枚のパネル材２の対向端縁同士の隙間Ｇからパネル材２の裏側へ向けて牽引部材７を差し込む。そしてパネル材２の裏面から突出したフック部６を平ジョイナー３のスリット１７に挿通した後、治具１をパネル材２の表面に沿って下向きに滑らせて平ジョイナー３の外側に突き出したフック部６を平ジョイナー３に係合させる。
【００２１】
この状態から牽引部材７を手前に引っ張り、２枚のパネル材２の並列した２つの枠部１４の各長方形の孔１５内に一対の舌状係合片１６を共に受容させた状態で、平ジョイナー３のコ字形をなす内側面に２枚のパネル材２の枠部１４を同時に抱持する。この時、牽引部材７の凹部８と弾発片部１０の凸部９との突端同士が突き当たるが、弾発片部１０が外向きに弾性変形して牽引部材７の摺動を許容する。
【００２２】
牽引部材７への引っ張り力を加えない状態では、牽引部材７の凹部８に対する弾発片部１０の凸部９の係合が突片１１の弾発力で保持され、これによって牽引部材７の戻りが阻止されるので、平ジョイナー３と枠部１４との結合状態が保持される。この状態でハンマーなどを用いて平ジョイナー３を上から叩き込むことにより、長方形の孔１５に入り込んでいた舌状係合片１６が孔１５の下縁を乗り越えて枠部１４に係合する。このようにして、平ジョイナー３によって２枚のパネル材２が連結されることとなる。
【００２３】
２枚のパネル材２を直角に連結する場合には、図４に示したように、上記三連Ｖ字形をなすコーナージョイナー３Ａを用いる。これの場合の連結作業も、基本的には上記平ジョイナー３の場合と同様である。
【００２４】
２枚のパネル材２をジョイナー３が連結したならば、牽引部材７の凹部８から弾発片部１０の凸部９を離間させる向きに弾発片部１０の遊端を押し広げることにより、牽引部材７と弾発片部１０との係合が解除されるので、牽引部材７を引き抜くだけで治具１を容易に取り外すことができる。
【００２５】
２枚のパネル材２の隙間Ｇは、従来の施工法と同様にコーキング剤等を塗布することによって塞ぐことができる。
【００２６】
なお、上記実施の形態においては、パネル材２の端縁に枠部１４を一体形成するものについて述べたが、この枠部としては、例えば角パイプなど、パネル材２とは別体の部材で構成したものであっても良い。
【００２７】
【発明の効果】
以上詳述した通り本発明によれば、パネル材の裏面にジョイナーを引き寄せた状態を簡単な操作で保持することができるので、この種の内装パネルの施工を簡略化する上に多大な効果を奏することができる。
【図面の簡単な説明】
【図１】本発明による治具の使用状態を示す斜視図
【図２】本発明による治具の一部切除して示す平面図
【図３】本発明による治具によって２枚のパネルを並列に連結する様子を示す要部平面図
【図４】本発明による治具によって２枚のパネルを直角に連結する様子を示す要部平面図
【符号の説明】
１  治具
２  パネル材
３  ジョイナー
４  支持部材
５  溝
６  フック部材
７  牽引部材
８  凹部
９  凸部
１０  弾発片部
１１  突片
１２  平行面
１３  直角面
１４  枠部
１５  孔
１６  舌状係合片
１７  スリット
【図１】
0003548737.tif 000002
【図２】
0003548737.tif 000003
【図３】
0003548737.tif 000004
【図４】
0003548737.tif 000005